(57)【要約】  換気シャフトを通じて換気シャフトの大気開口に流体連通する地下換気ダクトへの換気シャフトを通じる換気を可能にする並びに洪水の恐れがあるときに地下換気ダクト内への地表水の下向きの流れを阻止するように動作可能である装置が、支持体頂部開口と底部開口との間の換気通路をもたらす換気シャフト内に適合する支持体側壁と、頂部開口に近接して通路を塞がないよう水平に架かり且つ通路内に１つ又はそれよりも多くのヒンジ接続されるパネルを保持する対向する横方向側壁に支持される懸架部材とを含み、１つ又はそれよりも多くのヒンジ接続されるパネルは、手動で外れて通路を回転的に閉鎖して洪水を防止し、ホーム位置まで手動で回転的に持ち上げ可能であることで、換気を可能にする。懸架部材は、支持体から持ち上げ式に取り外し可能であり、キー付き支持体内に収容される端キーを含むことで、懸架部材が支持体内に適合することを可能にするので、特定のパネルが特定の側壁に近づく。
2019527806.tif 000002
【特許請求の範囲】
【請求項１】
垂直の換気シャフトを通じて該換気シャフトの大気開口に流体連通する地下換気ダクトへの前記換気シャフトを通じる換気を可能にする、並びに、洪水の恐れがあるときに、前記地下換気ダクト内への地表水の下向きの流れを阻止するように動作可能である、装置であって、
前記換気シャフト内の配置のために対向する横方向側壁を含む支持体であって、支持体を通じて上方の前記大気開口に至る前記地下換気ダクトの流体連通のために支持体の頂部開口と底部開口との間に通路を定める、支持体と、
近位端及び遠位端と頂面及び底面とを有する１つ又はそれよりも多くのパネルであって、前記近位端は、前記通路を妨げない直立ホーム位置への上向きの各パネルの回転及び下方通路閉鎖位置に達するような専らその自重の重力の推進力による直立ホーム位置から下向きの回転のために前記対向する横方向側壁に対して垂直な軸を有する水平ヒンジと接続し、前記１つ又はそれよりも多くのパネルは、各パネルが重力により前記通路閉鎖位置まで回転するときに前記通路を閉鎖するプロファイルを有する、１つ又はそれよりも多くのパネルと、
前記頂部開口に近接して前記通路を塞がないよう水平に架かり、前記通路内で前記１つ又はそれよりも多くのヒンジ接続されるパネルを保持し、前記対向する横方向側壁上に持ち上げ式に取り外し可能に支持される、懸架部材と、
該懸架部材を前記対向する横方向側壁上の前記支持体に垂直に出し入れ移動させるために前記懸架部材に接続される少なくとも１つのハンドルとを含む、
装置。
【請求項２】
前記横方向側壁を含む前記支持体は、前記換気ダクトと前記大気開口との間で前記垂直シャフト内に内部的に適合するような大きさとされ、前記支持体は、前記シャフト内に前記支持体を吊すために、前記シャフトの頂部を横断して突出するために前記側壁に対して横方向の水平フランジを更に含む、請求項１に記載の装置。
【請求項３】
前記大気開口は、円筒形であり、前記支持体は、中空シリンダを含む、請求項１に記載の装置。
【請求項４】
前記大気開口は、直線的であり、前記支持体は、四辺形である、請求項１に記載の装置。
【請求項５】
前記懸架部材は、単一の一体的に垂直に延びる部材を含む、請求項１に記載の装置。
【請求項６】
前記懸架部材は、前記水平ヒンジと前記水平ヒンジと接続される前記パネルとを保持する垂直に吊られるストラップを有するビームを含む、請求項１に記載の装置。
【請求項７】
前記水平ヒンジは、前記懸架部材によって保持されるヒンジ取付け部材と、該ヒンジ取付け部材に取り付けられる複数のヒンジ部材とを含む、請求項６に記載の装置。
【請求項８】
各ヒンジ部材は、静止部材と、可動部材と、前記静止部材と前記可動部材とを相互接続するヒンジピンとを含み、前記静止部材は、前記ヒンジ取付け部材に接続し、前記可動部材は、前記パネルの前記近位端に接続する、請求項７に記載の装置。
【請求項９】
前記下方通路閉鎖位置への各パネルの前記下向きの回転を制限する少なくとも１つの抑制体を更に含む、請求項１に記載の装置。
【請求項１０】
前記抑制体は、前記支持体内にあり、前記底部開口に近接して前記支持体に接続され、前記通路を塞がない、ストッパを含む、請求項９に記載の装置。
【請求項１１】
前記側壁に隣接して、第１の曲率半径を備える丸みのある隅部を有するベースを含み、前記パネルの前記遠位部分は、前記パネルが前記通路閉鎖位置まで回転するときに掃引する前記側壁隅部の前記第１の曲率半径と実質的に同じ曲率半径を備える丸みのある隅部を有する、請求項１に記載の装置。
【請求項１２】
前記パネルは、前記通路閉鎖位置において前記通路を封止するシールを含む、請求項１に記載の装置。
【請求項１３】
一対の前記パネルを含み、前記懸架部材は、前記通路を塞がない前記直立ホーム位置からの又は前記直立ホーム位置への互いに反対方向の前記パネルの回転のための前記通路内の前記パネルの取付けのために、前記対向する横方向側壁の間に持ち上げ式に取り外し可能に中心的に支持される、請求項７に記載の装置。
【請求項１４】
前記大気開口は、直線的であり、前記支持体は、四辺形であり、前記対向する側壁は、それぞれ、前記垂直アーム内に並びに前記バー上に前記懸架部材を持ち上げ式に取り外し可能に受け入れ且つ支持するために、バーより上方に一対の離間した平行な垂直アームを有するクレードルを、前記頂部開口に隣接して前記通路内に中心的に取り付ける、請求項１３に記載の装置。
【請求項１５】
前記四辺形の支持体は、前記対向する横方向側壁に隣接して少なくとも１つの壁に少なくとも１つのインジケータを有することで、パネル上の構造が前記インジケータより下方に配置される場所を示し、前記懸架部材は、両端を有し、各端は、前記懸架部材の側面を横方向に越えて延びるキーを支持し、各クレードルは、前記クレードルの１つのアームのみにおいて前記キーを受けるようにキー付けられるので、その構造を有する前記パネルは、前記インジケータより下方に配置される、請求項１４に記載の装置。
【請求項１６】
前記懸架部材は、前記水平ヒンジと前記水平ヒンジと接続される前記パネルとを保持する垂直に吊り下げられるストラップを有するビームであり、該ビームは、両端と、前記ビーム両端間の側面と、ビームの各端に取り付けられる四辺形のビーム端板とを有し、各ビーム端板は、前記ビーム両端の前記側面を越えて横方向に延びる側面を有し、前記クレードルは、それぞれ、前記垂直アームの垂直な相互に垂直な突起の間に垂直な直角の夾角を含み、各垂直アームの一方の突起は、前記対向する側壁の一方に付着し、各垂直アームの他方の突起は、前記一方の側壁に付着されず、そのような付着されない突起及び前記垂直アームの前記直角の夾角は、互いに面し合い、前記付着される突起は、前記一対の垂直アーム内に前記ビーム端板を垂直に受け入れるよう十分に離間させられる、請求項１５に記載の装置。
【請求項１７】
各ビーム端板の前記側面の１つの側面は、そのようなビーム端板の他の側面よりも横方向に更に延び、前記クレードルの１つの垂直アームの１つの付着されない突起は、そのビーム端板の前記他方の側面よりも更に延びる前記ビーム端板の前記側面を受けて、前記一対の垂直アーム内に前記ビーム端板を受け入れるよう、そのクレードルの他方の垂直アームの前記付着されない突起よりも長い長さを有する、請求項１６に記載の装置。
【請求項１８】
前記四辺形の支持体は、前記対向する横方向側壁に隣接して少なくとも１つの壁に少なくとも１つのインジケータを有することで、パネル上の構造が前記インジケータより下方に配置される場所を示し、前記ビーム端板及び前記垂直アームは、その構造を有する前記パネルが前記インジケータより下方に配置されるよう、前記ビームを位置付ける。請求項１７に記載の装置。
【請求項１９】
前記ヒンジ取付け部材は、両端と、前記ヒンジ取付け部材両端間の側面と、前記ヒンジ取付け部材の各端に取り付けられる四辺形のヒンジ取付け部材端板とを有し、該ヒンジ取付け部材端板は、それぞれ、前記ヒンジ取付け部材の両端の前記側面を越えて横方向に延びる側面を有し、前記対向する側壁は、それぞれ、一対の離間した水平なアンカバーを、前記底部開口に隣接して前記クレードルより下方で前記通路内に中心的に付着させ、各アンカバーは、等しくない長さの相互に垂直な水平な突起の間に直角の夾角を含み、各アンカバーのより短い突起は、前記対向する側壁の一方に付着し、そのアンカバーのより長い突起は、前記一方の側壁に付着されず、そのような付着されない突起及び前記アンカバーの前記直角の夾角は、互いに面し合い、前記付着される突起は、前記一対のアンカバー内に前記ヒンジ取付け部材端板を垂直に受け入れるよう十分に離間させられる、請求項１７に記載の装置。
【請求項２０】
前記四辺形の支持体は、前記対向する横方向側壁に隣接して少なくとも１つの壁に少なくとも１つのインジケータを有することで、パネル上の構造が前記インジケータより下方に配置される場所を示し、前記ビーム端板、前記垂直アーム、前記ヒンジ取付け部材端板及び前記アンカバーは、その構造を有する前記パネルが前記インジケータより下方に配置されるよう、前記ビームを協働して位置付ける、請求項１９に記載の装置。
【発明の詳細な説明】
【技術分野】
【０００１】
（関連出願の参照）
この出願は、この出願と同様に２０１３年１０月６日に出願された米国仮出願第６１／８８７，４１６号の利益を主張する、２０１４年１０月６日に出願された米国特許出願第１４／５０６，７７８号の一部継続出願であり且つその利益を主張し、更に、２０１６年７月１５日に出願された米国仮特許出願第６２／３６３，０２４号の利益を更に主張し、それらの全ての開示を参照として本明細書に援用する。
【０００２】
（連邦政府による資金提供を受けた研究開発に関する陳述）
該当しない。
【０００３】
この発明は、洪水(flooding  water)が地下換気通路(underground  ventilation  passages)に入るのを阻止することに関する。
【背景技術】
【０００４】
地下室又は地下トンネルを地表で空気に接続する換気ダクトを通じて地下トンネル及び地下室内に進入して氾濫させる表面暴風雨(surface  storm)は、非限定的に、道路車両、列車及び地下鉄用の地下輸送トンネル、並びに、例えば、地下水力発電所のようなものに使用されるような、接続トンネル及びシャフトの複合体と関連付けられるような、或いは地下変圧器室のような換気を必要とする地下ユーティリティと関連付けられるような、地下室に影響を及ぼす。
【０００５】
典型的な地下鉄換気構成において、換気ダクト又はシャフトは、駅の近くの地下鉄システムに組み込まれて、電車が駅に近づくにつれて淀んだ押された空気を排出し、電車が駅を出るにつれて新鮮な外気を引き込み、その上、移動する列車によって高速でトンネルを通過させられる空気の「ピストン効果(piston  effect)」を減少させる。典型的には、換気ダクトは、地下トンネルから連絡して、地下鉄格子によって開口が覆われる歩道のようなグレードレベル(地盤面高さ)(grade  level)で大気に開放するグレードレベルより下の換気シャフト構造内で終端する。
【０００６】
地下鉄は、水に対処するためのシステムを有する。雨が降ると、水は階段を流れ落ち、プラットホームに流れ、そこから軌道(tracks)に流れ、一部は表面格子を通じて換気システムに入る。軌道より下のドレイン(排水路)(drains)は、地下鉄軌道に隣接するポンプ室内の地下水だめに水を送る。ポンプは、街路高さで大気に開放される圧力解放マンホールまで水を引き上げ、そこから、排水は重力の下で都市の雨水管渠に流れ込む。問題は、豪雨時に雨水管渠が圧倒されて、水を街路に勢いよく戻し、街路を氾濫させて、水が歩道を浸水し、地下鉄格子を通じて換気システムに流れ込み、そこから、トンネルに流れ、そして、軌道に流れる。ポンピングシステムは、水を浸水した街路に戻すことだけであり得る。水は、そこから、換気システムに注いでいる洪水プールに再び入り、地下鉄の洪水を制御する手段としてのポンピングシステムを打ち負かす。その問題は、低地にあり、高潮の影響を受けやすく、グレードレベルの格子、階段、地下鉄内への水の他の侵入点が点在する、New  York及びLower  Manhattanのような都市で、特に深刻である。
【０００７】
２００７年の激しい暴風雨による洪水後のBrooklyn、Queens、及びManhattan内のNew  York  City内の幾つかの場所で行われたように、歩道格子開口から換気ダクトを通じて地下システムへの流出水の浸入を減らす1つの解決策は、地下鉄換気格子を側道高さより上に上昇させることであった。これは実施するのに費用がかかるだけでなく、歩行者が利用可能な歩道領域の多くも犠牲にした。２０１３年のサンディ大暴風雨(super  storm  Sandy)に先立って、地下鉄の洪水の前兆となる豪雨に加えて高潮と干潮が予測されるとき、土嚢及び合板締結(fastening  plywood)に頼る労働者は、地下鉄換気格子を覆って、洪水を防ぐことを試みた。サンディは、地下鉄及び通気孔付き地下構造の洪水ハザードの証しであった。サンディによる地下鉄洪水で明らかにされたように、合板締結は、不完全な労働力及び材料集約的プロセスにおける解決策として、短い時間期間内に多数の通気孔格子の覆い、少なすぎ遅すぎることがあり得る。より簡単で、より素早く、比較的安価で、より効果的な、歩道通気孔格子を通じる洪水を防止する方法が、必要とされている。
【図面の簡単な説明】
【０００８】
【図１】図５の実施形態を受け入れる四辺形（４辺付き）支持体構造の等角図である。
【図２】図１の四辺形実施形態の頂面図である。
【図２Ａ】図２の線２Ａ−２Ａに沿って取られた図１の四辺形実施形態の断面図である。
【図３】左側からこの視野で見られた図１、図２及び図２Ａの四辺形支持体内に収容された図５のパネルアセンブリの等角図である。
【図４】図３の図から１８０度回転させられた図１、図２及び図２Ａの四辺形支持体内に収容された図５のパネルアセンブリの等角図である、即ち、図３の反対側（右側）の図である。
【図５】パネルが下降させられた状態の持ち上げ式に取り外し可能なパネルアセンブリの等角頂面図である。
【図６】参照番号６によって示す破線において示す図５の部分の拡大図である。
【図７】参照番号７によって示す破線において示す図５の部分の拡大図である。
【図８】参照番号８によって示す破線において示す図５の部分の拡大図である。
【図９】図１の支持体内の所定の場所に下降させられた図５のパネルを示す正面図である。
【図１０】パネルが上昇させられたホーム位置にある図５のパネルアセンブリの側面図である。
【図１１】図５のパネルを上昇させられたホーム位置において例示する図１、図２及び図２Ａの四辺形支持体内の所定の場所にある図５のパネルアセンブリの切欠き等角図である。
【図１２】下降させられた位置にあるパネルを示す所定の場所にある図５のパネルアセンブリの頂面図である。
【図１２Ａ】図１２の線１２Ａ−１２Ａに沿って取られた断面図である。
【図１３】図５のパネルアセンブリ及び図１のクレードル支持体の変形の頂面図である（パネルはホーム位置に上昇させられて示されている）。
【図１３Ａ】図５のパネルアセンブリのビーム部分の端の変形を示す図１３の線１３Ａ−１３Ａに沿って見られた断面図である。
【図１４】図１３Ａに断面で描写する変形の斜視図である。
【図１５】図１〜図４の実施形態の支持体のクレードル変形の正面図である。
【図１６】図１５に描写するクレードル変形の斜視図である。
【図１７】図１５に描写するクレードル変形の側面図である。
【図１８】図１５に描写するクレードル変形の頂面図である。
【図１９】図５の変形アセンブリの切頭部を支持する図１５〜図１８のクレードル支持体変形を示す図５のパネルアセンブリ変形の切欠き等角図である。
【図２０】図１５〜図１８のクレードル変形支持体内の所定の場所にある図１３Ａ及び図１４の変形を示す頂面図である。
【図２１】変形パネルアセンブリが図１５〜図１８のクレードル内の並びに図２５〜図２７に描写する下方支持アンカ内の所定の場所に下降させられるときの図５の変形パネルアセンブリの位置を示す、幾つかの構成要素が取り外された状態の、ある実施形態の斜視底面図である。
【図２２】図５の変形アセンブリ用の下方コネクタ板の正面図である。
【図２３】図２２のコネクタ板の側面図である。
【図２４】図２２のコネクタ板の斜視図である。
【図２５】図２５の変形アセンブリ用のアンカバーの正面図である。
【図２６】図２５のアンカバーの側面図である。
【図２７】図２５のアンカバーの斜視図である。
【図２８】図２４〜図２６に描写する下方アンカ支持体内の所定の場所に固定される図１５〜図１８のクレードル内の所定の場所にある図５のアセンブリの位置を示す、幾つかの構成要素が取り外された状態の、斜視底面図である。
【図２９】図２５〜図２７に描写する下方アンカ支持体内の所定の場所に固定される図２２〜図２４のコネクタ板の頂面図である。
【図３０】通路閉鎖位置に展開されたパネルを示す四辺形支持体内に収容された単一のパネルアセンブリの頂面図である。
【図３０Ａ】図３０の線３０Ａ−３０Ａに沿って取られた図３０の実施形態の側面図である。
【図３１】ホーム位置まで完全に上昇させられたパネルを示す四辺形支持体内に収容された単一のパネルアセンブリの頂面図である。
【図３１Ａ】図３１の線３１Ａ−３１Ａに沿って取られた図３１の実施形態の断面図である。
【発明を実施するための形態】
【０００９】
この発明によれば、大気開口(atmospheric  opening)と地下換気ダクト(underground  ventilation  duct)との間で既に流体連通している換気シャフト(ventilation  shaft)内への据付けのための装置が、洪水の恐れがないときに換気を可能にし、洪水の恐れがあるときに大気開口からの換気を閉じるよう手動で作動可能であり、大気開口に進入する地表水(surface  water)の地下換気ダクト内への下向きの流れを防止する。
【００１０】
本明細書に記載するそのような装置の例示的な実施形態において具現される着想は、豪雨によるものであろうと、ハリケーン又は熱帯性暴風雨又はその他のものによって推進される高潮によるものであろうと、大気開口が、地下室又はトンネル又は換気を必要とする他の地下構造のための換気ダクトと連通し、その開口を通して実質的な量の水が入ることができる、任意のシステムに用途を有する。
【００１１】
以下の本発明の例示的な実施形態の記述では、本明細書の一部分を形成し、本発明が実施されることがある特定の実施形態を例示として示す、添付の図面を参照する。本明細書に開示する特定の詳細は、あらゆる場合において、本発明の着想が実施されることがある具体的な方法を表す非限定的な実施形態である。これはそれらの着想と一致する事実上あらゆる適切に詳細なシステム、構造又は方法において本発明を利用することを当業者に教えるのに役立つ。特定の記載する実施形態及びそれらの実施形態の詳細に対する様々な変更及び代替が本発明の範囲内で行われてよいことが分かるであろう。多くの様々な異なる実施形態が本明細書に記載する発明的な着想の範囲内で並びに本明細書に詳述する特定の実施形態内で行われてよいので、本明細書中の詳細は例示として解釈されるべきであり、限定として解釈されるべきでないことが理解されるべきである。
【００１２】
実施形態の詳細な記述において使用される「上方(upper)」、「下方(lower)」、「底(bottom)」、「頂(top)」、「横(transverse)」、「垂直(perpendicular)」、「鉛直(vertical)」、「水平(horizontal)」などのような様々な方向は、図面と共により簡単な説明に関して行われるに過ぎない。構成要素（コンポーネント）は、本発明の着想を具現する本明細書中に詳述される実施形態と同じ機能を実行して同じ結果を達成しながら異なって方向付けられてよく、そのような用語は、実施形態が例示する着想を限定するものとして理解されてならない。
【００１３】
「垂直」という用語は、絶対的ではないにしても、直角が垂直として記載される要素の配置及び機能に著しく悪影響を及ぼさない程度まで、ある基準に対して実質的に直角であることを意味する。「鉛直」又は「鉛直に」という用語は、文字通りの垂直を含むが、それに限定されず、一般的には、絶対的ではないにしても、鉛直が鉛直として記載される要素の機能に著しく悪影響を及ぼさない程度まで、地平線に対して上下に向けられることを意味する。同様に、「水平」又は「水平に」という用語は、文字通りの水平を含むが、それに限定されず、一般的には、水平として記載される要素の機能に著しく悪影響を及ぼす程度まで地平線に対して水平から外れないことを意味する。
【００１４】
本明細書で使用するとき、請求項及び／又は明細書中の「含む」（又は同義の「有する」又は「含む」）という用語と共に使用されるときの単数形の使用は、「１つ」を意味することがあるが、それは「1以上（１つ又はそれよりも多く）」、「少なくとも1つ」、「1つ又は１よりも多く」とも一致する。加えて、本明細書で使用するとき、「〜に接続される」という語句は、直接的であろうが中間の構成要素を通じてであろうが、接合されるか或いは連通して配置されることを意味する。
【００１５】
記載する同じ実施形態の構成要素について、幾つかの場合、最初に述べる構成要素は、所与の参照番号によって特定され、第２のそのような構成要素は、アポストロフィで印された同じ参照番号であり、例えば、「パネルハンドル２５９」は、第１の既述の構成要素を特定し、第２のそのような同様の構成要素は、「パネルハンドル２５９’」として特定される。例えば、「パネルハンドル２５９，２５９’」のように、分離された２つの参照番号をコンマによって結合することは、両方が共に記載されていることを文脈が意味しない限り、「パネルハンドル２５９」又は「パネルハンドル２５９’」のいずれかの構成要素が記載されていることを意味する。
【００１６】
換気ダクト内への水の進入を阻止するための本明細書に開示する着想の適用の例示的な目的のために、特定の換気環境を参照して具現された着想を記載する。例示的な適用は、地下鉄システム用である。例として本明細書に記載する特定の実施形態では、氾濫した水が入る大気開口は、少なくともNew  York  Cityでは典型的には長方形である地下鉄換気システム用の格子被覆グレードレベルの歩道開口に関して、直線形状を有すると仮定する。特定の実施形態の詳細な記述は、特定の環境についての直線形状に関するものであるが、本発明は、開口が直線状であること又は本発明の実施形態が直線形状に適合すること又は大気開口がグレードレベルにあることを必要としない。本発明の要素を、直線形状であろうが、円形又は楕円形であろうが、或いは何らかの他の形状であろうが、あらゆる地下トンネル、室、部屋又は他の地下構造に役立つ、あらゆる換気シャフト表面開口の下向きに垂直に突出する寸法内に適合するように構成することができる。
【００１７】
以下の例示的な実施形態の記述において、通路閉鎖位置は、実施形態のパネル又は複数のパネルが水平である位置である。本発明の着想は、この配置に限定されない。パネルが下降するのを止める制約又は停止は、水平面より上方への下向きの移動を止めながらも、通気通路を閉じるように、位置付けられてよい。記載する実施形態は、本発明の着想が実施されることがある例の非限定的な例示である。
【００１８】
本発明の例示的実施形態は、換気シャフト手動閉鎖アセンブリ(ventilation  shaft  manual  closure  assembly)を含む。例示的なアセンブリの実施形態のための支持体は、垂直換気シャフト内で換気シャフトを通じてシャフトの大気開口に流体連通する地下換気ダクトに配置するための対向する横方向側壁を含む。大気開口は円筒形であってよく、支持体は円筒形であってよい。大気開口は直線的であってよく、支持体は、四辺形であってよい。上述のように、例示的な実施形態において、大気開口は直線的である。
【００１９】
横方向側壁を含む支持体は、換気ダクトと大気開口との間で垂直シャフト内に内部嵌合するような大きさにされる。ある実施形態において、支持体は、シャフト内で支持体を吊り下げるためにシャフトの頂部を横断する突起のために側壁に対して横方向の水平フランジを有する。支持体は、支持体を通じて大気開口に至る換気ダクトを流体連通のために、支持体の上部開口と底部開口との間に通路を定める。
【００２０】
例示的な実施形態では、洪水の恐れがないときに通常通り換気を可能にするよう、地下換気ダクトを換気シャフトの大気開口と流体連通させる換気通路を塞がない直立ホーム位置（直立定位置）に取り付けられた、１以上の下向きに回転可能なパネルが使用されてよい。１つの例示的な実施形態では、単一のパネルが、ホーム位置において、そのような通路の側面に取り付けられて、ホーム位置から通路全体に亘る通路閉鎖位置まで単独で重力により降下して、地下換気ダクトを洪水から保護する。他の例示的な実施形態では、一対のパネルが、通路の両側に取り付けられて、ホーム位置から下方に互いに向かって通路閉鎖位置まで重力により落下して、一緒に通路を閉じる。更に他の例示的な実施形態では、一対のパネルが、ホーム位置から下方通路閉鎖位置への互いに反対方向におけるパネルの回転のために、通路内で中央に取り付けられる。対にされるパネルの利点は、それらが、単一のより高いパネルを閉じるのに実現可能であるよりも広い通路を閉じるために使用される場合があることである。
【００２１】
手動閉鎖アセンブリは、近位端及び遠位端、頂面及び底面を有する、１以上のパネルを含む。近位端は、通路を塞がない直立ホーム位置への上向きのパネルの手動回転及び下方通路閉鎖位置に達するような専らその自重の重力の推進力(impetus)によるホーム位置からの下向きの回転のために、対向する横方向側壁に対して垂直な軸を有する水平ヒンジと接続する。１以上のパネルは、各パネルが重力により通路閉鎖位置まで回転するときに通路を閉鎖する、プロファイルを有する。
【００２２】
少なくとも１つの抑制体(restraint)が、下方通路閉鎖位置への各パネルの下向きの回転を制限する。抑制体は、一端で（次に述べる）懸架部材(suspension  member)の上方部分に固定され、他端でパネルの頂面に締結される、１以上の折畳み可能な又はフレキシブルな（可撓な）部材であってよく、或いは、抑制体は、通路(passage)を塞がず、底部開口に近接して支持体内に配置され且つ支持体に接続される、１以上のストッパ(stops)を含んでよい。
【００２３】
例示的な実施形態において、隣接する側壁は、第１の曲率半径を有する丸みのある隅部を有するベースを含み、パネルの遠位部分は、パネルの遠位部分が通路閉鎖位置まで回転するときに掃引する(sweep)側壁の隅部の曲率半径と実質的に同じ曲率半径を備える丸みのある隅部を有する。ある例示的な実施形態において、パネルは、通路閉鎖位置において通路を封止するシールを含む。
【００２４】
懸架部材は、支持体頂部開口に近接して通路を塞がないよう水平に延び、通路内で１以上のヒンジ接続パネルを保持する。懸架部材は、支持体頂部開口及び支持体底部開口に近接して対向する横方向側壁で持ち上げ式に取り外し可能に支持される。懸架部材は、懸架部材を対向する横方向側壁にある支持体に垂直方向に出し入れするよう懸架部材を保持するために懸架部材に接続される少なくとも１つのハンドルを有する。懸架部材は、水平ヒンジとヒンジに接続されるパネルとを保持する単一の一体的な垂直に延びる部材を含んでよく、或いは水平ヒンジとヒンジに接続されるパネルとを保持する垂直に吊り下げられたストラップ(vertically  hung  straps)を有するビームを含んでよい。例示的な実施形態において、水平ヒンジは、懸架部材によって保持されるヒンジ取付け部材と、ヒンジ取付け部材に取り付けられる複数のヒンジ部材とを含む。ある例示的な実施形態において、各ヒンジ部材は、静止部材と、可動部材と、静止部材と可動部材とを相互接続するヒンジピンとを含み、静止部材は、ヒンジ取付け部材に接続し、可動ヒンジ部材は、パネルの近位端に接続する。水平ヒンジは、ピアノヒンジと呼ばれることがある連続ヒンジ、又は２つのリンクされるパネルを接続する並びにパネルがその上で上昇し且つ下降する可動ジョイントを含む任意の他のヒンジを含んでもよい。
【００２５】
例示的な実施形態において、懸架部材は、対向する横方向側壁の間で中心的に持ち上げ式に取り外し可能に支持され、直立ホーム位置からの又は直立ホーム位置への互いに反対方向におけるパネルの回転のために一対のパネルを換気通路内に懸架する。ある例示的な実施形態において、大気開口は、直線的であり、支持体は、四辺形であり、対向する側壁は、それぞれ、そのような垂直アーム内で及び水平バー上でビームを持ち上げ式に取り外し可能に受け入れ且つ支持するために、一対の離間した平行な垂直アームを上方に有する、並びに、任意的にバーに接続し、且つバー上で、任意的に水平バー上で直立する、クレードルを、シャフトの頂部開口に隣接して換気通路内に中心的に付着させる。
【００２６】
例示的な実施形態において、四辺形の支持体は、対向する横方向側壁に隣接して少なくとも１つの側壁に少なくとも１つのインジケータを有することで、パネル上の構造がインジケータより下方に配置される場所を示す。そのような実施形態において、懸架部材は、両端を有し、各端は、懸架部材の側面を横方向に越えて延びるキーを支持し、各クレードルは、その構造を有するパネルがインジケータより下方に配置されるよう、クレードルの一方のアーム内でのみキーを受けるようにキー付けられる。
【００２７】
そのような懸架支持クレードルを利用する例示的な実施形態において、そのような中央支持される懸架部材は、水平ヒンジと水平ヒンジで接続されるパネルとを保持する垂直に吊されるストラップを有するビームを含んでよい。そのようなビームは、両端と、ビーム両端間の側面と、ビームの各端に取り付けられる四辺形のビーム端板とを有する。各ビーム端板は、ビーム両端の側面を越えて横方向に延びる側面を有する。クレードルは、それぞれ、垂直アームの垂直な相互に垂直な突起間に直角の夾角を含み、各垂直アームの一方の突起は、対向する側壁の一方に付着する。各垂直アームの他方の突起は、そのような一方の側壁に付着されない。そのような付着されない突起及び垂直アームの直角の夾角は互いに面し合う。付着される突起は、一対の垂直アーム内でビーム端板を垂直に受けるために十分な離間させられる。そのようなクレードル及びビーム端板を有する例示的な実施形態において、各ビーム端板の側面の一方の側面は、そのようなビーム端板の他方の側面よりも横方向に更に延び、クレードルの一方の垂直アームの一方の付着されない突起は、そのビーム端板の他の側面よりも更に延びるビーム端板の側面を受け、それにより、一対の垂直アーム内にビーム端板を受け入れるために、そのクレードルの他方の垂直アームの付着されない突起よりも長い長さを有する。
【００２８】
ある例示的実施形態において、四辺形の支持体は、対向する横方向側壁に隣接して少なくとも１つの側壁に少なくとも１つのインジケータを有する。インジケータは、パネル上の特定の構造がインジケータより下方に位置することを示す。ビーム端板のより長い側及び端板のより長い側のみを受ける垂直アームのより長い挿入部は、パネルが通路閉鎖位置にあるときに、ビームがその構造を有する特定のパネルをインジケータより下方に配置する向きにおいてのみクレードル内に水平に配置されることを可能にする。
【００２９】
ビーム支持クレードルが、ビームが１つの水平の向きのみにおいて位置付けられることを可能にする、例示的な実施形態において、ヒンジ取付け部材は、両端と、ヒンジ取付け部材両端間の側面と、ヒンジ取付け部材の各端に取り付けられる四辺形のヒンジ取付け部材端板とを有する。ヒンジ取付け部材の端板は、それぞれ、ヒンジ取付け部材両端の側面を越えて横方向に延びる側面を有する。対向する側壁は、それぞれ、一対の離間した水平なアンカバーを、クレードルより下方で底部開口に隣接して通路内に中心的に付着させる。各アンカバーは、等しくない長さの相互に垂直な水平な突起の間に直角の夾角を含み、各アンカバーのより短い突起は、対向する側壁の一方に付着し、そのアンカバーのより長い突起は、一方の側壁に付着されない。取り付けられない突起及びアンカバーの直角の夾角は互いに面し合う。付着される突起は、一対のアンカバー内にヒンジ取付け部材端板を垂直に受け入れるよう十分な離間させられる。よって、パネル上の構造がインジケータより下方に配置されることを示すために、四辺形の支持体が、対向する横方向側壁に隣接して少なくとも１つの壁に少なくとも１つのインジケータを有する場合、ビーム端板、クレードル垂直アーム、ヒンジ取付け部材端板、アンカバーは、ビーム及びビームから吊り下げられるヒンジ取付け部材の配置を協働して方向付けるので、パネルが通路閉鎖位置にあるとき、その構造を有するパネルはインジケータより下方に配置される。
【００３０】
ここで図面を参照すると、これらの図面は、換気シャフト(ventilation  shaft)を通じて換気シャフトの直線的な大気開口に流体連通する地下換気ダクト内への地表水(surface  water)の下向きの流れを阻止する装置の例示的な実施形態を示している。図１〜図２９は、一対のパネルを有する例示的な実施形態を示している。図３０〜図３１Ａは、単一のパネルを有する例示的な実施形態を示している。先ず、図１、図２及び図２Ａを参照すると、例示的な実施形態は、側壁２２４（２２４ａ，２２４ｂ，２２４ｃ，２２４ｄ）を含む四辺形の(quadrilateral)又は四辺付きの(four-sided)のボックス２１０(箱)(box)で具現された支持体(support)を含み、側壁２２４は、側壁の上方限界(upper  extent)に、ボックス２１０を通じて上方の大気開口２１４への換気ダクトの流体連通のために、ボックス２１０の頂部開口２２６と底部開口２２８との間に通路２２５を定めるよう、シャフト内で垂直にボックス２１０を懸架するための換気シャフトの壁の頂部の上への広がりのために側壁２２４に対して横方向のフランジ２２０（２２０ａ，２２０ｂ，２２０ｃ，２２０ｄ）を有する。クレードル２１１ａ，２１１ｃが、それぞれ、対向する側壁２２４ａ及び２２４ｃの上方側に形成される。図示の装置は、装置を換気シャフト内に下降させてシャフトの壁に位置付けることによって、暴風雨水(storm  water)から通気通路を封止する溶液(solution)中の降下物(drop)として適する。適所で、格子（図示せず）が頂部開口２２６を覆う。通常の操作において、ボックス２１０の内部への操作者アクセスは、格子を通じてである。
【００３１】
本明細書に記載するような例示的な実施形態は、四辺付き(four-sided)ボックス支持体２１０を利用するが、幾つかの場所は、支持体の底部開口に近接してストッパ２３０(stops)も有する中空シリンダの形状の支持体の使用を可能にすることがあり、この形態は本発明の範囲内で想定されている。
【００３２】
ボックス２１０内の隅部ブレース(corner  braces)(隅部補強材)の形態のストッパ２３０ａ，２３０ｂ，２３０ｃ，２３０ｄは、底部開口部２２８に近接して側壁２２４内にあり且つ側壁２２４に接続されており、通路２２５を塞がない。隣接する側壁は、それぞれのストッパ２３０ａ，２３０ｄの上に丸みのある隅部２２７ａ，２２７ｄを有するベース２２８と、それぞれのストッパ２３０ｂ，２３０ｃの上に丸みのある隅部２２９ｂ、２２９ｃを有するベース２２９とを含む。丸みのある隅部２２７ａ，２２７ｄ及び２２９ｂ，２２９ｃは、丸い隅部曲率半径を有する。
【００３３】
ここで図３及び図４を参照すると、押し出された管組織(tubing)を含むビーム２４２が、通路２２５を塞がないよう横断して水平に架かり(spans)、頂部開口２２６に近接してボックス２１０の対向する側壁２２４ａ，２２４ｃに接続する。ビーム２４２は、クレードル２１１ａ，２１１ｃ内に収容され(lodged)、操作者がビーム折畳み可能なハンドル２１２ａ，２１２ｃを保持することによって、溝２１１ａ，２１１ｃ(channels)内に便利に下降させられる。以下に記載するビーム２４２及びストラップ２４４は、以下に記載する機器のための懸架部材(suspension  member)を含む。ボックス２１０がフランジ２２０上に位置する換気シャフト内に設置された後、ビーム２４２及びその取付け機器を、完全に組み立てられたユニット２０１として所定の場所に下降させることができる。ハンドル２１２ａ，２１２ｃを用いて溝２１１ａ，２１１ｃからビーム２４２を引き抜くことによって、組み立てられたユニット２０１を保守(servicing)のためにボックス２１０から取り外すことができる。
【００３４】
記載したような例示的な実施形態は、以下に記載する機器を支持するためのビーム２４２とストラップ２４４とを含む懸架部材を利用するが、本発明の範囲は、そのような実施形態に限定されない。ビーム２４２及びストラップ２４４以外の懸架部材が使用されてよく、例えば、懸架部材は、単一の一体的に垂直に延びる中実の(solid)又は有窓の板(fenestrated  plate)であることができる。記載するビーム２４２及びストラップ２４４の利点は、中実の板よりもフランジ２２０により少ない荷重を課すより軽い重量であるが、有窓の板も、高価な要素であると思われるが、同様により軽い荷重の利点に資するであろう。
【００３５】
特に図５及び図８〜図１１を参照すると、ヒンジ取付け部材２４５が、複数のストラップ２４４ａ，２４４ｂ，２４４ｃ，２４４ｄによってビーム２４２に接続される通路２２５を塞がないよう横断して水平に架かっている。クレードル２１１ａ，２１１ｃ内に収容され、側壁２２４ａ，２２４ｃの間に亘るヒンジ取付け部材２４５は、ビーム２４２がヒンジ取付け部材２４５の直ぐ上にある状態で、ボックス２１０の通路２２５で中心付けられる。ヒンジ取付け部材２４５は、複数のヒンジ部材２４３を取り付けて支持する。ヒンジ部材２４３は、それぞれ、静止部材２４３ｂと、可動部材２４３ａと、静止部材２４３ｂと可動部材２４３ａとを相互接続するヒンジピン２４３ｃとを含む。静止部材２４３ｂは、ヒンジ取付け部材２４５に接続する。ヒンジ取付け部材２４５は、ヒンジ取付け部材２４５の下方面に沿って長さ方向に取り付けられる補剛材バー２３１を含む。
【００３６】
各々が近位部分及び遠位部分２３４ａ，２３４ｂ及び２３６ａ，２３６ｂをそれぞれ有する、一対の対向するパネル２３４，２３６が、近位部分２３４ａ，２３６ｂで、可動ヒンジ部材２４３ａによって、静止ヒンジ部材２４３ｂに接続され、それにより、ヒンジ取付け部材２４５に接続され、ヒンジ取付け部材２４５からストラップ２４４ａ，２４４ｂを介してビーム２４２に接続される。ヒンジピン２４３ｃ上でのパネル２３４，２３６の近位部分２３４ａ，２３６ａへの可動ヒンジ部材２４３ａの接続は、パネル２４，２３６の垂直回転のためのパネル２３４，２３６のそれぞれのピボット軸を形成する。パネル２３４、２３６は、（参照番号２１３によって概ね示すビーム２４２の下で直立ホーム位置から又はホーム位置に互いに反対方向に回転する。ホーム位置２１３へのパネルの上向きの（一方は時計回り、他方は反時計回り）の回転は、以下に更に記載するように、手動でもたらされる。ビーム２４２の下に押し込まれたパネルのホーム位置は、通路２２５を閉塞しない。下向きのパネルの回転（一方は時計回り、他方は反時計回り）は、以下に更に述べるように、パネルがホーム位置から解放されるときに専らパネルの質量に作用する重力による。回転しているパネル２３４，２３６は、直立ホーム位置から、更なる回転がストッパ２３０ａ，２３０ｂ，２３０ｃ，２３０ｄ，２３０ｅによって防止される（参照番号２１５によって概ね示す）下方通路閉鎖位置まで、専らそれらの自重の重力の推進力の下で落ちる。各パネルは、パネルが重力によって通路閉鎖位置まで回転するときに通路を閉鎖するプロファイルを有する。
【００３７】
パネル２３４、２３６は、頂面板２３８と、底面２３２とを有する。底面２３２は、剛性のために内部横ブレース２３７，２３９(内部横補強材)(internal  cross  braces)と交差させられている。パネルの遠位部分は、パネルの遠位部分が通路閉鎖位置まで回転するときに掃引する側壁隅部２２９ａ，２２９ｂ，２２９ｃ，２２９ｄの曲率半径と実質的に同じ曲率半径を備える丸みのある隅部２１９を有する。パネルは、通路閉鎖位置において通路を封止するための周辺遠位及び横方向シール２２１，２２２、パネル２３４用のシール２２１ａ，２２２ａ及びパネル２３６用のシール２２１ｂ，２２２ｂを含む。ガスケットシール（パネル２３４用の２２３ａ，パネル２３６用の２２３ｂ）が、ピン２４３ｃより下でパネル２３４，２３６のベースの近位端に亘り、パネルが通路閉鎖位置にあるときに、パネル２３４，２３６の近位端で底部開口２２８を封止する。
【００３８】
パネル２３４，２３６は、パネルホルダ２４０によってホーム位置２１３に保持される。パネルホルダ２４０は、パネルホルダ２４０に接続されるグリップロッド２４６によってボックス２１０内で移動可能に懸架される。ロッド２４６は、ストラップ２４４ｂ，２４４ｃの間に締め付けられるブレース２５５を通じて摺動可能に並進可能にビーム２４２を通じて取り付けられ、カバー２５３の下のＴ字ハンドルグリップ２５２でビーム２４２より上で終端して、ボックス２１０を覆う格子を通じる歩行者の視界からＴ字ハンドルグリップ２５２を保護して、装置への不当な改竄及び悪意のある製造業者によるパネルの望ましくない配置を回避しないとしても減少させる。パネルホルダ２４０は、パネル２３４に面する側にある可動部材２４７と、パネル２３６に面する側にある可動部材２４９とを含む。直立ホーム位置２１３においてパネル２３４，２３６を捕捉して保持するのは、パネルホルダ２４０の可動部材構成要素２４７，２４９である。ロッド２４６及びグリップ２５２は、パネル解放装置(panel  releaser)を含む。Ｔ字ハンドルは、カバー２５３の下に到達してパネルホルダ２４０を持ち上げるためにグリップ２５２を引っ掛けるようボックス２１０を覆う格子にある小さな開口を通じて垂直に挿入することができる引っ掛けリーチツールの突起によるような、便利な把持のために、グリップ２５２を構成する。グリップ２５２によってロッド２４６を持ち上げることは、パネルホルダ２４０を上向きに移動させて、可動部材２４７，２４９に保持されるパネル２３４，２３６を解放させ、パネルが専らそれらの自体の質量によって直立ホーム位置２１３から下方通路閉鎖位置２１５まで重力により回転的に落下することを可能にする。
【００３９】
図５〜図８を特に参照すると、可動部材２４７，２４９は、それぞれ、ラッチキャッチ２３５，２３５’と係合可能なラッチを含む。ラッチ２４７，２４９は、ラッチの近位端でピボット軸２５４上で垂直に枢動する。ピボット軸２５４は、ヒンジ取付け部材２４５の両側と平行なピン２４３ｃのパネル軸と平行なパネルホルダ２４０の内側にある。各ラッチ２４７，２４９は、パネルホルダ２４０から挿入ノッチ２５１，２５１’で終わる傾斜面２５０，２５０’を有する遠位下方戻り部２４８，２４８’まで外側に枢動的に延びる。凹部２３３，２３３及びパネルホルダ２４０は、パネル２３４，２３６が垂直に上向きに回転させられるときに、ラッチ２４７，２４９の下方遠位戻り部２４８，２４８’がランプ２４１，２４１’と滑り接触させられるよう、水平に及び垂直に互いに整列させられ、然る後、傾斜面２５０，２５０’は、挿入ノッチ２５１，２５１’がラッチキャッチエッジ２３５，２３５’を通過するまで、ランプ２４１，２４１’上を滑って、ラッチ２４７，２４０を捕捉し、パネルがホーム位置２１３への上向きの回転を完了するときに、ラッチ２４７，２４０がパネル２４４、２４６を保持する。
【００４０】
パネル２３４，２３６は、パネルを手動でホーム位置２１３まで持ち上げる構造を備える。各パネル２３４，２３６は、パネル２３４，２３６の近位端２３４ａ，２３６ａが接続されるヒンジ部材２４３のピン２４３ｃのピボット軸から遠隔のその頂面２３８，２３８’に、ハンドル２５９，２５９’を有する。操作者は、末端突起を備えるリーチツールを使用し且つボックス２１０を覆う格子を通じて挿入して、ハンドル２５９，２５９’を握って、パネル２３４，２３６を持ち上げることができる。パネル２３４用のリフトアーム２６０及びパネル２３６用のリフトアーム２６０’を第２のリーチツールによって操作して、パネルの底面に対して横方向の推力を与えて直立ホーム位置へのパネルの回転を完了させる機械的補助を提供する。
【００４１】
パネル２３６のような、パネルの少なくとも１つは、図９及び図１０に示すように、パネルの近位端と遠位端との中間にドレイン２７０(drain)を備える。
【００４２】
図１、図２、図２Ａ、図３及び図４に描写するように、四辺形ボックス支持体２１０は、対向する横方向側壁２２４ａ，２２４ｃに隣接する１つの側壁２２４ｄにある単一のインジケータ２８５と、面する側壁２２４ｂにある２つのインジケータ２８６，２８７とを有する。インジケータは、パネル上の特定の構造がインジケータより下方に配置される場所を指す標識付けられたインジケータ矢印２８５，２８６，２８７である。「リフトアーム」と標識付けられた単一のインジケータ２８５は、リフトアーム２６０がパネル２３４上に配置される位置を指す。「ドレイン」及び「リフトアーム」とそれぞれ標識付けられた２つのインジケータ２８６，２８７を有する側壁２２４ｂは、ドレイン２７０が配置されるパネル２３６上の位置及びリフトアーム２６０’が配置される他の位置を指す。
【００４３】
標識付きインジケータ２８５，２８６，２８７の目的は、インジケータ上の標識によって示される構造を見出して操作するために支持体２１０を覆う格子を通じてリーチツールを挿入する場所を作業者に教えることである。従って、構造２６０，２６０’，２７０をそれぞれ有するパネル２３４，２３６を保持する懸架部材２４２が、それらの構造を有するパネルがそれらの構造のためのインジケータが配置される側壁の隣に配置されるよう、クレードル２１１ａ，２１１ｃ内に配置されることが重要である。リフトアーム２６０’及びドレイン２７０を有するパネル２３６は、側壁２２４ｂに隣接して配置される必要がある。正しい配置を保証するために、懸架部材２４２は、両端を有し、その各端は、懸架部材の側面を横方向に越えて延びるキー(key)を支持し、各クレードル２１１ａ，２１１ｃは、クレードルの一方のアーム内でのみキーを受けるようにキー付けられる(keyed)ので、表示される構造を有するパネルは、インジケータより下方に配置される。即ち、クレードル２１１ａ、２１１ｃはキー付けられ、懸架部材２４２、例えば、ビーム２４２は、キーを備え、キーは、ビーム２４２が、そして、それと共に懸架されるパネル２３４，２３６が、表示される２つの構造、この場合には、ドレイン２７０及びリフトアーム２６１’を有するパネル２３６が、２つのインジケータ２８６，２８７が配置される側壁２２４ｂに隣接する向きにおいてのみ、支持体２１０内に装着されることを可能にする。これは、次いで、この例では、リフトアームのために、１つのインジケータ２８５が配置される側壁２２４ｄ上に表示される１つの構造だけを有する、パネル２３４を自動的に置く。
【００４４】
図１３を参照すると、ビーム２４２は、両端２８８、２８８’と、ビーム両端２８８、２８８’の間の側面２８９、２８９’と、各ビーム端に取り付けられる四辺形のビーム端板２９０とを有する。図１３Ａ及び図１４を参照すると、ビーム端板２９０は、ビーム両端の側面２８９，２８９’を越えて横方向に延びる側面２９１，２９１’を有する。
【００４５】
図１５〜図１８を参照すると、（一方のみが示されており、他方は同一である）キー付きクレードル２９２ａ、２９２ｃは、それぞれ、垂直アーム２９３’の垂直な相互に垂直な突起２９５ａ，２９５ｂと垂直アーム２９３’の垂直な相互に垂直な突起２９６ａ，２９６ｂとの間に直角の夾角２９４、２９４’を有する、一対の垂直アーム２９３、２９３’を含み、垂直アーム２９３の一方の突起２９５ｂ及び垂直アーム２９３’の対応する突起２９６ｂは、対向する側壁２２４ａ又は２２４ｃのうちの一方に付着する。垂直アーム２９３の他方の突起２９５ａ及び垂直アーム２９３’の他方の突起２９６ａは、そのような一方の側壁２２４ａ又は２２４ｃに付着しない。そのような付着されない突起及び垂直アームの直角の夾角は互いに面し合う。付着されない突起２９５ｂ，２９６ｂは、一対の垂直アーム２９３，２９３’内にビーム端板２９０を垂直に受けるよう十分に離間し、水平バー２９７上に位置する。
【００４６】
図１４及び図２０を参照すると、各ビーム端板２９０の側面２９１，２９１’の側面２９１は、ビーム端板２９０の側面２９１’よりも横方向に更に延びて、キーを提供する。図１６、図１８及び図２０を参照すると、クレードル２９２ｃの垂直アーム２９３’の付着されない突起２９６ａは、ビーム端板２９０の他の側面２９１’よりも更に延びるビーム端板２９０の側面２９１のキーを受け入れ、それにより、キー付きの一対の垂直アーム２９３、２９３’内にビーム端板２９０を受けるために、クレードル２９２ｃの他方の垂直アーム２９３’の付着されない突起２９６ａよりも長い長さを有する。ビーム端板２９０のより長い側面２９１はキーであり、垂直アーム２９３、２９３’の付着されない突起２９６ａにあるより長い挿入部は、キー付き要素であり、キー付き要素は、エンド端板２９０のより長い側面２９１のキーのみを受け、それにより、ビーム２４２が、標識と同じ構造を有する特定のパネル２３４，２３６をその側壁に隣接し且つそのインジケータより下方にある側壁に配置する向きにおいてのみ、クレードル２９２ａ，２９２ｃ内で水平に配置されることを可能にする。
【００４７】
端板２９０及びクレードル２９２ａ，２９２ｃのキーとキー機能(keyed  function)と協働して、ヒンジ取付け部材２４５は、両端２９８，２９８’と、ヒンジ取付け部材の両端２９８，２９８’の間の側面２９９，２９９’と、ヒンジ取付け部材の各端２９８，２９８’に取り付けられる四辺形のヒンジ取付け部材端板３００とを有する。ヒンジ取付け部材端板３００は、それぞれ、ヒンジ取付け部材両端２９８，２９８’の側面２９９，２９９’を越えて横方向に延びる側面３０１，３０１’を有する。対向する側壁２２４ａ，２２４ｃは、それぞれ、一対の離間した水平アンカバーを、底部開口２２８に隣接して、クレードル２９２ａ又は２９２ｃより下方で、通路内に中心的に取り付ける。アンカバー３０２は、等しくない長さの相互に垂直な水平突起３０４ａ，３０４ｂの間に直角の夾角３０３を含み、より短い突起３０４ｂは、対向する側壁２２４ａ又は２２４ｃの一方に付着し、アンカバー３０２のより長い突起３０４ａは、一方の側壁２２４ａ又は２２４ｃに付着させられない。同様に、アンカバー３０２’は、等しくない長さの相互に垂直な水平突起３０５ａ，３０５ｂの間に直角の夾角３０３’を含み、より短い突起３０５ｂは、対向する側壁２２４ａ又は２２４ｃの一方に付着し、アンカバー３０２’のより長い突起３０５ａは、一方の側壁２２４ａ又は２２４ｃに付着されない。付着されない突起とアンカバーの直角の夾角とは面し合う。付着される突起３０４ｂ、３０５ｂは、一対のアンカバー内でヒンジ取付け部材端板３００を垂直に受けるよう十分に離間させられる。図２０は、アンカバー３０２，３０２’と、クレードル２９２ｃ内に降下しているビーム２２４とを示している。図２７は、クレードル２９２ｃ内の所定の場所に着地したビーム２４と、アンカバー３０２，３０２’内の所定の場所に着地したヒンジ取付け部材２４５とを示している。図２８は、アンカバー３０２，３０２’の間の端板３００とのヒンジ取付け部材２４５の嵌合(fitment)を示している。シール３０５が、ブレース３０６をアンカ３０２及び３０２’から分離する。
【００４８】
よって、四辺形支持体２１０が、対向する横方向側壁２２４ａ，２２４ｃに隣接して少なくとも１つの壁２２４ｂ又は２２４ｄに少なくとも１つのインジケータを有して、パネル上の構造がインジケータより下方に位置することを示す場合、クレードル垂直アーム２９３，２９３’、ヒンジ取付け部材端板３００及びアンカバー３０２，３０２’は、パネルが通路閉鎖位置にあるときに、その構造を有するパネルがインジケータより下方に配置されるよう、ビーム２４２及びビームから吊り下げられるヒンジ取付け部材２４５の配置を協働して方向付ける。
【００４９】
ここで図３０〜図３１Ａを参照すると、他の例示的な実施形態は、単一のパネルを利用する。例示的な対のパネルの実施形態におけるものと同じである単一のパネルの例示的な実施形態における構成要素は、例示的な対のパネルの実施形態におけると同じ参照番号を有する。単一のパネルの例示的な実施形態は、他の例示的な実施形態と同様に、垂直換気シャフトの直線的な大気開口を想定し、換気シャフトを通じてシャフトの上の格子にある大気開口に流体連通する地下換気ダクトへのシャフトを通じた換気を通常通り可能にし、洪水の危険性があるときには、地下換気ダクト内への地表水の下向きの流れを防止するように動作可能である。単一のパネルの例示的な実施形態は、一対のパネルの例示的な実施形態と同様に、底部及び頂部で開放する四角の垂直ボックスとして具現される支持体を含み、ボックス支持体の頂部開口と底部開口の間に通路２２５を定める。幾つかの詳細は構成の単純性のために省略されているが、一対のパネルの例示的な実施形態の記述から理解されるであろう。例示的なフランジ、例えば、２２０ｂ，２２０ｃは、水平に延び、換気シャフトの垂直壁の上に位置する（フランジ２２０ａ，２２０ｄは、図３０〜図３１Ａにおいて参照番号によって示されていないが、先の例示的な実施形態から理解されるであろう）。支持ボックス側壁２２４ｂ，２２４ｃ，２２４ｄは、図３０Ａ及び図３１Ａの断面図に見える（側壁２２４ａは、一対のパネルの例示的な実施形態の記述から理解されるであろう。）ボックス２１８の４つの側壁２２４ａ，２２４ｂ，２２４ｃ，２２４ｄは、一対のパネルの例示的な実施形態におけるように、４つの垂直換気シャフト壁の内側に垂直に適合する。一対のパネルの例示的な実施形態におけるストッパ２３０ａ，２３０ｄのようなストッパが、図１〜図２Ａの例示的な実施形態における２２９のような底部開口に近接して、側壁２２４ａ，２２４ｂ及び２２４ａ，２２４ｄ内にあり、且つそれらにそれぞれ接続され、それらは通路２２５を塞がない。隣接する側壁は、それぞれのストッパ２３０ａ，２３０ｄより上に丸みのある隅部２２７ａ，１２７ｄを有するベース２２７を含む。
【００５０】
クレードル２１１ａ，２１１ｃは、側壁２２４ｄに隣接して、対向する側壁２２４ａ及び２２４ｃの上方側に形成されている。示されている装置は、それを換気シャフト内に下降させてシャフトの壁の上に位置付けることによって暴風雨水から通気通路を封止するための溶液中の降下物として適している。適所で、格子（図示せず）が頂部開口２２６を覆う。通常の操作において、支持体ボックスの内部への操作者のアクセスは、格子を通じてである。
【００５１】
ここで図３０〜図３１Ａを参照すると、押し出された管組織を含むビーム２４２は、通路２２５を塞がないよう横断して水平に架かり、側壁２２４ｄに隣接して並びに頂部開口２２６に近接してボックス２１０の対向する側壁２２４ａ，２２４ｃに接続する。ビーム２４２は、クレードル２１１ａ，２１１ｃ内に収容され、操作者がビーム折畳み可能なハンドル２１２ａ，２１２ｃを保持することによって、溝２１１ａ，２１１ｃ内に便利に下降させられる。ビーム２４２及びストラップ２４４は、懸架部材を含む。支持体ボックスをフランジ２２０上に位置する換気シャフト内に装着した後に、ビーム２４２及びその取り付けられた機器を完全に組み立てられたユニットとして所定の場所に下降させることができる。ハンドル２１２ａ，２１２ｃを用いてビーム２４２を溝２１１ａ，２１１ｃから引き抜くことによって、保守のために、この組み立てられたユニットを支持体ボックスから取り外すことができる。
【００５２】
図３１Ａを特に参照すると、ヒンジ取付け部材２４５は、複数のストラップ２４４によってビーム２４２に接続されたビーム２４２と同じように、通路２２５を塞がないよう横断して水平に架かる（図３０Ａ及び３１Ａの断面図では２４４ｄだけが見える）。クレードル２１１ａ及び２１１ｃ内に収容されて、ビーム２４２及びヒンジ取付け部材２４５は、ビーム２４２はヒンジ取付け部材２４５の真上にある状態で、側壁２２４ｄに隣接して側壁２２４ａ，２２４ｃの間に架かる。ヒンジ取付け部材２４５は、複数のヒンジ部材２４３を取り付け且つ支持する。ヒンジ部材２４３は、一対のパネルの例示的な実施形態と同様に、それぞれ、静止部材２４３ｂと、可動部材２４３ａと、静止部材２４３ｂと可動部材２４３ａとを相互接続するヒンジピン２４３ｃとを含み、静止部材２４３ｂは、ヒンジ取付け部材２４５に接続する。図３１Ａでは、要素の不明瞭化を避けるために、可動部材２４３ａのみが参照されている。
【００５３】
（一対のパネルの例における２３６ａ，２３６ｂと同じと理解される）近位部分及び遠位部分をそれぞれ有する単一のパネル２３６は、近位部分２３６ａで、可動ヒンジ部材２４３ａによって、静止ヒンジ部材２４３ｂに接続され、それにより、ヒンジ取付け部材２４５に接続され、一対のパネルの例におけるように、ヒンジ取付け部材２４５からストラップ２４４ａ，２４４ｂ，２４４ｃ，２４４ｄを介してビーム２４２に至る。ヒンジピン２４３ｃ上でのパネル２３６の近位部分２３６ａへの可動ヒンジ部材２４３ａの接続は、パネル２３６の垂直回転のためのパネル２３６のピボット軸を形成する。パネル２３６は、ビーム２４２の下に押し込まれた直立ホーム位置から或いは直立ホーム位置に回転する。以下に更に記載するように、上向きの（例示的な実施形態において反時計回りの）ホーム位置へのパネル２３６の回転は手動でもたらされる。ビーム２４２の下に押し込まれたパネル２３６のホーム位置は、通路２２５を閉塞しない。回転中のパネル２３６は、専らその自重の重力による推進力の下で、直立ホーム位置から、更なる回転がストッパ２３０ａ，２３０ｄによって阻止される下方通路閉鎖位置に落ちる。各パネルは、パネルが重力によって通路閉鎖位置まで回転するときに通路を閉鎖するプロファイルを有する。
【００５４】
図３０〜図３１Ａに例示する例示的な実施形態において、一対のパネルの例におけるパネル２３６と同じパネル２３６は、パネルホルダラッチキャッチ２３５’を含む凹部２３３’を含む。パネル２３６用のパネルホルダ２４０ラッチ２４９。ラッチ２４９を含むパネルホルダ２４０は、懸架部材２４２によって支持されている。ラッチ２４９は、ラッチの近位端で、水平軸上で垂直に枢動する。ラッチ軸は、ピン２４３ｃのパネル軸と平行である。パネルホルダラッチ２４９は、図６のラッチ２４７と同様に、ラッチ軸から遠位に、ラッチノッチ２５１’で終端する傾斜面を有する下方戻り部まで外側に旋回的に延びる。パネル２３６が垂直に上向きに回転させられるときに、ラッチ２４９の下方戻り部がパネルによって支持されるランプ２４１’と滑り接触させられ、差込みノッチ２５１’がラッチキャッチエッジ２３５’を通り過ぎてラッチ２４９を捕捉するまで、ラッチの傾斜面がランプ２４１’上で滑動するよう、凹部２３３’及びラッチ２４９は、水平に及び垂直に互いに整列させられる。この捕捉は、パネル２３４，２３６をホーム位置２１３に保持する。一対のパネルの例の場合におけるように、ラッチ及びラッチキャッチの配置を逆にすることができる。
【００５５】
一対のパネルの例の場合におけるように、パネルホルダ２４０は、パネルホルダ２４０に接続されたロッド２４６によって懸架部材２４２から移動可能に吊り下げられている。ロッド２４６は、ストラップ２４４ｂ，２４４ｃの間に締め付けられたブレース２５５を通じてスライド可能に並進可能にビーム２４２を通じて取り付けられ、カバー２５３の下のＴ字ハンドル２５２でビーム２４２より上で終端し、四辺形の支持体２１０を覆う格子を通じた歩行者の視界からＴ字ハンドルを隠す。ロッド２４６及びＴ字ハンドル２５２は、パネル解放装置を含む。Ｔ字ハンドルは、カバー２５３の下に達してパネルホルダ２４０を持ち上げるためにＴ字ハンドルを引っ掛けるよう支持体を覆う格子にある小さな開口を通じて垂直に挿入されることができるリーチツールの突起又はフックによるような、便利な保持を提供する。Ｔ字ハンドル２５２によってロッド２４６を持ち上げることは、パネルホルダ２４０を上向きに移動させて、可動部材２４７，２４９がキャッチ２４１，２４１’に対するそれらの保持を失うようにさせ、パネル２３４，２３６を解放させ、パネル２３４、２３６が、専らそれらの自重の推進力によって、直立ホーム位置２１３から下方通路閉鎖位置２１５まで重力により降下することを可能にする。
【００５６】
図３１に示すように、一対のパネルの例の場合におけるように、単一のパネルの例示的な実施形態は、ピボットピン２６７によってヒンジ軸２４３ｃと平行なピボット軸上でパネル２３６の底面に枢動的に接続される近位端２６１’と、遠位端２６３’とを有する、リフトアーム２６０’を含み、リフトアーム２６０’は、ホーム位置へのパネル２３６の回転を完了させるよう、パネルハンドル２５９’を用いて上昇させられている接続されたパネル２３６に横方向の力を加えるために、遠位端２６３’が側壁２２４ｂの内側で上向きに枢動されるときに、遠位端２６３’を対向する側壁２２４ｂと接触させるような寸法とされる。
【００５７】
図３０〜図３１Ａに示すように、単一のパネルの例示的な実施形態は、パネルの近位端と遠位端との中間にパネル２３６内のドレイン２７０を含む。
【００５８】
本発明の着想を組み込んだ実施形態の例示的な例を説明したので、当業者はこれらの実施形態によって導かれるようにこれらの着想を使用することができ、それにも拘わらず本明細書に開示された着想を包含し且つ依然として後続の請求項において請求されるような本発明の範囲内にある代替的な変形を形成することがある。
【図１】
2019527806.tif 000003
【図２】
2019527806.tif 000004
【図２Ａ】
2019527806.tif 000005
【図３】
2019527806.tif 000006
【図４】
2019527806.tif 000007
【図５】
2019527806.tif 000008
【図６】
2019527806.tif 000009
【図７】
2019527806.tif 000010
【図８】
2019527806.tif 000011
【図９】
2019527806.tif 000012
【図１０】
2019527806.tif 000013
【図１１】
2019527806.tif 000014
【図１２】
2019527806.tif 000015
【図１２Ａ】
2019527806.tif 000016
【図１３】
2019527806.tif 000017
【図１３Ａ】
2019527806.tif 000018
【図１４】
2019527806.tif 000019
【図１５】
2019527806.tif 000020
【図１６】
2019527806.tif 000021
【図１７】
2019527806.tif 000022
【図１８】
2019527806.tif 000023
【図１９】
2019527806.tif 000024
【図２０】
2019527806.tif 000025
【図２１】
2019527806.tif 000026
【図２２】
2019527806.tif 000027
【図２３】
2019527806.tif 000028
【図２４】
2019527806.tif 000029
【図２５】
2019527806.tif 000030
【図２６】
2019527806.tif 000031
【図２７】
2019527806.tif 000032
【図２８】
2019527806.tif 000033
【図２９】
2019527806.tif 000034
【図３０】
2019527806.tif 000035
【図３０Ａ】
2019527806.tif 000036
【図３１】
2019527806.tif 000037
【図３１Ａ】
2019527806.tif 000038
【国際調査報告】
2019527806.tif 000039